(57)【要約】【課題】  本発明は、簡略な構造でありながら短時間で簡単に要介護者の体位変換とおむつ交換の作業を行うことができ、要介護者の床ずれ防止と治療が期待できる。それによって介護者の労力の負担及び要介護者の苦痛と苛立ち等を大幅に軽減し、体力の著しい要介護者のために、その努力と意識の改革によって挑戦することを目的とする新規で斬新なおむつ交換支援器具を提供することができる。【解決手段】  本発明のおむつ交換支援器具Ｍは、要介護者の体位変換を簡単に行い、床ずれの防止と治療を可能とすると同時に、寝た切りの悪状況と衰えを防止することを特徴として構成されている。【選択図】  図１
2014018207.tif 000002
【特許請求の範囲】
【請求項１】
ベット、布団等の敷物上で使用する器具であって、要介護者の体位の変換を容易に行うことを特徴とするおむつ交換支援器具。
【請求項２】
ベット、布団等の敷物上で使用する器具であって、介護者が単独でベッドの周りを移動することなく、一方向からの作業で要介護者の体位の変換を容易に行うことを特徴とする請求項１のおむつ交換支援器具。
【請求項３】
ベット、布団等の敷物上で使用する器具であって、常に要介護者と敷物上との間に敷き置きが可能なことを特徴とする請求項１のおむつ交換支援器具。
【請求項４】
ベット、布団等の敷物上で使用する器具であって、要介護者の体位の変換を繰り返し行い、固定帯で体位を保つことによって床ずれの防止を可能とすることを特徴とする請求項１のおむつ交換支援器具。
【発明の詳細な説明】
【技術分野】
【０００１】
本発明は、おむつ交換支援器具に関するものであり、詳しくは、短時間で簡単、衛生的、苦痛や苛立ちを最小限に抑えて、おむつの交換を実施すると同時に、体位の変換が容易であることから床ずれの防止ができる新規で斬新なおむつ交換支援器具に関するものである。
【背景技術】
【０００２】
高齢化社会の拡大につれ、介護を必要とする老人の数は増加の一途をたどっており、施設や在宅における介護現場においても寝たきりの高齢者等のおむつ交換を必要とする要介護者の数もまた増加の傾向にある。このような寝たきりの高齢者等のおむつ交換作業は昔からあまり進歩はなく、介護者は腰痛と労力の限界の中で従来からの作業を余儀なくされ、要介護者もまたその苦痛に耐えてきたのが実情である。最近の傾向としては交換作業の改善を期待する介護者と、穏やかな作業を望む要介護者の数も増え、様々な角度から斬新な作業方法が考えられてはいるが、そのほとんどが要介護者の思考と改善が反映されたものではなく、介護者の一方的な労力の軽減のみを先行させた作業がつづいているのが現状である。
【０００３】
それには介護施設や事業所、在宅介護など介護の事情によっても大きく異なりを見せる。取り分け在宅での介護の場合、その家庭環境によって要介護者は必要以上に遠慮をするなどの心身的な重圧に押し潰されるのが通常である。そのために苦情や要求などを口にすることも控え目となり、ひたすら介護者の作業に任せているのであるが、最近の傾向としては徐々ではあるが介護者と要介護者が思いを密にしながら作業の分担が行われるようになってきた。例えば、おむつの交換の場合、要介護者はおむつを交換し易いように少しだけ体位の変換を試みて協力をする傾向もその一例ではあるが、それはまだ理想の段階であり、相も変わらずに介護者に対する労力と苦痛は想像以上であり、高齢化社会に向けて早急に解決しなければならない重要な課題なのである。
【先行技術文献】
【特許文献】
【０００４】
【特許文献１】特開２００３−７０８１９号公報
【特許文献２】特開２０００−７０３１３号広報
【発明の概要】
【発明が解決しようとする課題】
【０００５】
本発明は、要介護者に対しておむつ交換を行う介護者の労力と心身的な負担は想像以上に大きく、少しでもその軽減を図って介護の意識を向上するための要請に応えることを目的としている。同時に、要介護者にとっても長い時間と繰り返しの作業によって不自由な身体にもかかわらず体位の変換のすべてを介護者に任せなければならないことは従来の作業方法と比べて何ら改良のないことを認識するべきであろう。このような要介護者の体位変換を和らげることで苛立ちや苦痛を軽減することこそ早急に解決して大幅な介護の改革につなげることが緊急の課題でもある。
【０００６】
また、発想の転換によって元来、介護者任せであったおむつ交換作業に要介護者も積極的に多少なりとも協力することができれば、現在の介護事情も大いに変わってくることは確かである。それを実行することによって介護者、要介護者の関係に信頼関係が生まれ、精神衛生的にも前向きに明朗となって最悪の悲惨な事件などを回避することにも繋がるのである。
【０００７】
それは、おむつ交換が容易に実施できるという限定的な問題ばかりではない。要介護者の多くは長年に渡って寝たっきりの状況であり体力的に減退も著しいことは事実である。とくに、床ずれ予防の問題と対策には様々な思考と実施が試みられてはきたが、その治療に関してもいまだ解決には至っていないのが現状である。介護の分野においても、従来の技術を重んずるあまりに、斬新な方法を簡単には取り入れないといった頑なな考えが抜けきっていないことは明白であり、その考え方は介護保険法が制定された後には一層、改革への道が閉ざされてしまったとすれば不幸なことでもある。
【０００８】
この問題を解決するのはそんなに想像を絶するような大事ではなく、小さな労力でも簡単に目的を達成できるのである。そんな一つの安価で簡単な玩具のごとき支援器具は、昔の暮らしに使用されていた物であり、要介護者となった老人たちの生活を思い起こしてくれるものである。それが、おむつの交換の実施のみではなく床ずれ防止にも効果があるとしたら一石二鳥なのである。
【０００９】
以上のような事情は、施設や在宅などの介護現場における寝たきりの要介護者のおむつ交換の場合のみならず、様々な障害を持った対象者においても同様であると考えられる。本発明は、上述したような従来の切迫した事情と世論の要請などによって開発されたものであり、本体は簡略な構造と形状でありながら介護者は労力の軽減を図ることによって、短時間で簡単におむつ交換を手早く行うことができ、要介護者は少しでも作業に協力しているという連帯感によって意識を高めることができることは今後の介護には不可欠な要素のひとつであり、床ずれ防止機能を兼ねた新規で斬新なおむつ交換支援器具を提供することを目的とする。
【課題を解決するための手段】
【００１０】
上記目的を達成するための請求項１記載の発明は、ベット、布団等の敷物上で使用する器具であって、要介護者の体位の変換を容易に行うことを特徴としているおむつ交換支援器具である。
【００１１】
上記目的を達成するための請求項２記載の発明は、ベット、布団等の敷物上で使用する器具であって、介護者が単独でベッドの周りを移動することなく、一方向からの作業で要介護者の体位の変換を容易に行うことを特徴とする請求項１のおむつ交換支援器具である。
【００１２】
上記目的を達成するための請求項３記載の発明は、ベット、布団等の敷物上で使用する器具であって、常に要介護者と敷物との間に敷き置きが可能なことを特徴とする請求項１のおむつ交換支援器具である。
【００１３】
上記目的を達成するための請求項４記載の発明は、ベット、布団等の敷物上で使用する器具であって、要介護者の体位の変換を繰り返し行い、固定帯で体位を保つことによって床ずれ防止を可能とすることを特徴とする請求項１のおむつ交換支援器具である。
【発明の効果】
【００１４】
以上の説明から明らかなように本発明にあっては次に列挙する効果が得られる。
（１）請求項１記載のおむつ交換支援器具は、ベット、布団等の敷物上で使用する器具であって、裏面に固定帯を備えたベルトを人力で操作することよって要介護者の体位を容易に変換するというねらいがある。
【００１５】
（２）請求項２記載のおむつ交換支援器具は、ベット、布団等の敷体上で使用する器具であって、従来は施設等で行われていた介護者二人でのコンビ作業。在宅での介護ではひとりの介護者がベッドの周りを移動しながらひとりの介護者が一定の位置においての作業が普通であった。この発明は要介護者の体位を変換することによって、ひとりの介護者が一定の位置においてベッドの周りを移動することなくおむつの交換作業が行えるというねらいがある。
【００１６】
（3）請求項3記載のおむつ交換支援器具は、ベット、布団等の敷物上で使用する器具であって、常に要介護者と敷物上との間におむつ交換支援器具を敷き置きすることが可能であり、従来からのおむつ交換時の度に要介護者の体位を変換して臀部に挿入して取り出すという行為を実施しないことで要介護者、介護者共に労力と実施時間、苛立ちを激減させるというねらいがある。
【００１７】
（４）請求項４記載のおむつ交換支援器具は、ベット、布団等の敷物上で使用する器具であって、要介護者の体位変換を容易に実施することでその実施はおむつ交換に限らず、床ずれの防止の予防と治療を意識しながら体位の変換を繰り返し行うことができるというねらいがある。
【図面の簡単な説明】
【００１８】
【図１】本発明を実施するための器具敷き置き形態の平面図である。
【図２】本発明を実施するための体位変換その１の形態の平面図である。
【図３】本発明を実施するための体位変換その２の形態の平面図である。
【発明を実施するための形態】
【００１９】
以下、本発明をより詳細に記述するために、実施の形態を図に基づいて説明する。図１は本発明によるおむつ交換支援器具の敷き置きの平面図、図２は本発明によるおむつ交換支援器具の体位変換その１の平面図、図３は本発明によるおむつ交換支援器具の体位変換その２の平面図を示す。
【実施例１】
【００２０】
前記のおむつ交換支援器具を構成するＭ本体の平面的な形状とサイズは特に定める数値はないが、要介護者の身長などによって多少の違いはあるが特に限定を要するほどの数値はない。本体の素材はａ、ｂの引っ張る力に耐えられる強度があれば列記するほどの数値はないが、要介護者と敷物との間に敷き置きすることから湿気などの吸収性がなく、衛生面においても洗濯などに耐えられる素材が要求される。必要な条件としては敷物などに対して滑りにくい材質であることが要求されるところでもある。またＭ本体の裏面に固定される固定帯ｍは、要介護者が体位を保つための補助的な意味を成す目的を考えると、手の甲を差し入れることが可能な緩みがあることで充分であり、素材にはこだわらないが、本体と同じく要介護者の背面に敷き置きする器具であることから、あくまでも要介護者に痛みや違和感を与えるような構造や素材であってはならない。ａ、並びにｂの引っ張り紐はＭ本体を移動させることを可能とする強度があればよいが、ある程度はＭ本体の裏面に対する摩擦力を考慮するべきであろう。紐の形状は図ｅに示す滑車体の溝に合わせて平紐に準ずる形状が望ましいが、いづれの観点からも素材選びは重要である。
【実施例２】
【００２１】
図２で示すＭ本体の状態は、介護者がベッド側面左側に位置していることを前提にして説明する。はじめに要介護者の体位を左側〈介護者の方向〉に向けることの手順であるが、図２のように本体Ｍの位置を調整してｂの引き紐を握る。そのときのａの引き紐は要介護者の体重によって本体Ｍが移動しにくいことから手放しの状態でもよい。ｂを引くことによって要介護者の側面が敷物から離れるのであるが、その力の度合いによって介護者がおむつを交換し易い空間を調整することができる。そして、おむつを要介護者の臀部に添えながら固定帯ｍを操作して要介護者を元の体位に戻す。
【００２２】
図３で示すＭ本体の状態は、図２で説明したように介護者がベッド側面左側に位置していることを前提にして説明する。次は要介護者の体位を右側〈介護者の反対方向〉に向けることの手順であるが、図２のように本体Ｍの位置を調整してａの引き紐を握る。そのときのｂの引き紐は要介護者の体重によって本体Ｍが移動しにくいことから手放しの状態でもよい。ただし、介護者の位置関係からその作業を実施することを考えるとベットの柵に固定されている滑車体ｅによって引き方向の変換が必要になってくるが、図２のような良好な結果が得られる。いづれにしても、図２、図３における引き紐ａ、ｂの扱いはだれでもが小さな力で簡単に行うことができるのが利点であり、本体Ｍの摩擦状況によって滑りにくいことが明らかであることと、補助的機能でもある固定帯ｍを使用することからａｂ両方の引き紐を同時に扱わなくてもよいのが特徴である。
【実施例３】
【００２３】
図１、図２の実施例で示した通り、いずれの場合でも要介護者の体位が変換であり、敷物との間に空間を形成することが可能である。介護者によってそうすることへの作業も小さな労力で短時間に行うことができる利点を備えている器具である。介護全体に目を向けた場合、ひとつの器具によって多くの利点があるとすれば即、それを実行する価値があることは明らかなこと。図１の機能を考えたとき、おむつ交換が床ずれの予防と治療の対策にも有効な器具なのである。福祉の関係者はその目的と実践を早急にするべきである。
【実施例４】
【００２４】
補足ではあるが、本体Ｍの素材について記述する。本体Ｍは滑りにくい素材であることと、湿気を含まないことが必要である。なお、衛生的観点を考慮すると清潔に保つことが可能な素材が望ましいとすれば、繰り返しの洗濯が可能な少し厚手の綿製が適当であるが、固定帯ｍを備えて力を加えても破損しないことが重要である。
【符号の説明】
【００２５】
Ｍ    おむつ交換支援器具の本体
ａ    引き紐１の力点
ｂ    引き紐２の力点
ｃ    引き紐１
ｄ    引き紐２
ｅ    滑車体
ｃ１  本体Ｍとの連結部１
ｃ２  本体Ｍとの連結部２
ｍ    固定帯
【図１】
2014018207.tif 000003
【図２】
2014018207.tif 000004
【図３】
2014018207.tif 000005